【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
吸湿部において室内空気より吸湿し、再生部では加熱されて脱湿し再生する吸着材と、前記再生部を加熱する加熱手段と、室内空気と前記再生部において脱湿する湿分を含む相対的に高温高湿の循環空気とを熱交換させる熱交換器と、前記熱交換器および前記吸湿部に室内空気を供給する第１の送風ファンと、前記再生部と前記熱交換器および前記加熱手段に循環空気を循環させる第２の送風ファンと、前記吸湿部と前記再生部が連続的もしくは断続的に入れ替わるように前記吸着材を回転させる駆動手段を備え、前記再生部において脱湿した湿分を前記熱交換器によって室内空気により冷却して結露水として回収する除湿装置において、前記熱交換器は取り入れた循環空気が略下向きに流れる第１熱交換領域と、取り出される循環空気が略上向きに流れる第２熱交換領域とを有し、前記第１熱交換領域に供給される室内空気は前記吸着材の回転方向において前記再生部の前段にある前記吸湿部の第１吸湿領域に主として供給され、前記第２熱交換領域に供給される室内空気は前記吸着材の回転方向において前記再生部の後段にある前記吸湿部の第２吸湿領域に主として供給されることを特徴とする除湿装置。
【請求項２】
吸湿部において室内空気より吸湿し、再生部では加熱されて脱湿し再生する吸着材と、前記再生部を加熱する加熱手段と、室内空気と前記再生部において脱湿する湿分を含む相対的に高温高湿の循環空気とを熱交換させる熱交換器と、前記熱交換器および前記吸湿部に室内空気を供給する第１の送風ファンと、前記再生部と前記熱交換器および前記加熱手段に循環空気を循環させる第２の送風ファンと、前記吸湿部と前記再生部が連続的もしくは断続的に入れ替わるように前記吸着材を回転させる駆動手段を備え、前記再生部において脱湿した湿分を前記熱交換器によって室内空気により冷却して結露水として回収する除湿装置において、前記熱交換器は取り入れた循環空気が略下向きに流れる第１熱交換領域と、取り出される循環空気が略上向きに流れる第２熱交換領域とを有し、前記第２熱交換領域に供給される室内空気は前記吸着材の回転方向において前記再生部の前段にある前記吸湿部の第１吸湿領域に主として供給され、前記第１熱交換領域に供給される室内空気は前記吸着材の回転方向において前記再生部の後段にある前記吸湿部の第２吸湿領域に主として供給されることを特徴とする除湿装置。
【請求項３】
熱交換器を、循環空気を取り入れる取入れ口と、循環空気が取り出される取出し口と、凝縮した結露水を排出する水抜き穴と、前記取入れ口より取り入れた循環空気が略下向きに流れる第１熱交換領域と、前記取出し口より取り出される循環空気が略上向きに流れる第２熱交換領域とを備えた単一の中空状樹脂成形部品からなる一層式熱交換器としたことを特徴とする請求項１または２記載の除湿装置。
【請求項４】
上下方向において取出し口より低い位置に取入れ口を配し、取入れ口より低い位置に水抜き穴を配したことを特徴とする請求項３記載の除湿装置。
【請求項５】
再生部において脱湿する湿分を含む高温高湿の循環空気の温度および湿度を均一化するチャンバーを前記再生部と前記熱交換器の間に介在させたことを特徴とする請求項１，２，３または４記載の除湿装置。
【請求項６】
チャンバーを、吸湿部に供給される室内空気を吸着材の前後で仕切るための隔壁と一体に形成したことを特徴とする請求項５記載の除湿装置。
【請求項７】
循環空気の進行方向におけるチャンバーの奥行を、熱交換器と吸着材の間隙の距離を上限とし、吸湿部に供給される室内空気の前記熱交換器での気流の流線剥離による圧力勾配が減衰可能な距離を下限としたことを特徴とする請求項６記載の除湿装置。
【請求項８】
循環空気の風量を調整するための風量調整手段を吸湿部に供給される室内空気を吸着材の前後で仕切るための隔壁に設けたことを特徴とする請求項１、２、３、４、５、６または７記載の除湿装置。
【請求項９】
風量調整手段を、熱交換器と第２の送風ファンの間に介在し、前記熱交換器の方向に下り勾配を有するダクトとしたことを特徴とする請求項８記載の除湿装置。
【請求項１０】
第２の送風ファンに生じた結露水を排水する排水手段を設けたことを特徴とする請求項１，２，３，４，５，６，７，８または９記載の除湿装置。
【請求項１１】
除湿運転を停止する場合に、加熱手段と第１の送風ファンと第２の送風ファンと駆動手段を略同時に停止させる制御手段を設けたことを特徴とする請求項１０記載の除湿装置。
【請求項１２】
吸湿部において室内空気より吸湿し、再生部では加熱されて脱湿し再生する吸着材と、前記再生部を加熱する加熱手段と、室内空気と前記再生部において脱湿する湿分を含む相対的に高温高湿の循環空気とを熱交換させる熱交換器と、前記熱交換器および前記吸湿部に室内空気を供給する第１の送風ファンと、前記再生部と前記熱交換器および前記加熱手段に循環空気を循環させる第２の送風ファンと、前記吸湿部と前記再生部が連続的もしくは断続的に入れ替わるように前記吸着材を回転させる駆動手段を備え、前記再生部において脱湿した湿分を前記熱交換器によって室内空気により冷却して結露水として回収する除湿装置において、前記熱交換器は循環空気の流れの向きをターンさせる構成を備えたことを特徴とする除湿装置。
【請求項１３】
熱交換器を一層としたことを特徴とする請求項１２記載の除湿装置。
【手続補正２】
【補正対象書類名】明細書
【補正対象項目名】００２２
【補正方法】変更
【補正の内容】
【００２２】
本発明の請求項３記載の発明は、熱交換器を、循環空気を取り入れる取入れ口と、循環空気が取り出される取出し口と、凝縮した結露水を排出する水抜き穴と、前記取入れ口より取り入れた循環空気が略下向きに流れる第１熱交換領域と、前記取出し口より取り出される循環空気が略上向きに流れる第２熱交換領域とを備えた単一の中空状樹脂成形部品からなる一層式熱交換器とした構成としたものである。そして本発明によれば、従来の二層式熱交換器に対し伝熱面積の減少分を循環空気の通過速度の増加による熱通過率の上昇分で補足することにより熱交換能力を確保し、固定金具やパッキンを必要としない安価な構成を可能とするとともに、小型化、特に熱交換器部の薄型化や軽量化を図り、本体の持ち運びを容易とすることが可能な除湿装置が得られる。


【手続補正３】
【補正対象書類名】明細書
【補正対象項目名】００３０
【補正方法】変更
【補正の内容】
【００３０】
本発明の請求項１１記載の発明は、除湿運転を停止する場合に、加熱手段と第１の送風ファンと第２の送風ファンと駆動手段を略同時に停止させる制御手段を設けた構成としたものである。そして本発明によれば、除湿運転を停止する場合に第２の送風ファン近傍での結露水の溜まり込みによる水漏れ等の不具合を防止するために行われる遅延運転を、第２の送風ファンに発生した結露水を排水する排水手段を設けることにより撤廃するので、その分のエネルギーが節約することができるとともに、ＣＰＵやメモリー等の制御装置を搭載しない安価な構成とすることが可能な除湿装置が得られる。
本発明の請求項１２記載の発明は、吸湿部において室内空気より吸湿し、再生部では加熱されて脱湿し再生する吸着材と、前記再生部を加熱する加熱手段と、室内空気と前記再生部において脱湿する湿分を含む相対的に高温高湿の循環空気とを熱交換させる熱交換器と、前記熱交換器および前記吸湿部に室内空気を供給する第１の送風ファンと、前記再生部と前記熱交換器および前記加熱手段に循環空気を循環させる第２の送風ファンと、前記吸湿部と前記再生部が連続的もしくは断続的に入れ替わるように前記吸着材を回転させる駆動手段を備え、前記再生部において脱湿した湿分を前記熱交換器によって室内空気により冷却して結露水として回収する除湿装置において、前記熱交換器は循環空気の流れの向きをターンさせる構成を備えたものとしたものである。そして本発明によれば、熱交換器の伝熱面積の減少分を補足する熱交換能力を確保して、小型化、特に熱交換器部の薄型化や軽量化を図り、本体の持ち運びを容易とすることができる除湿装置が得られる。
本発明の請求項１３記載の発明は、請求項１２記載の除湿装置においいて、熱交換器を一層とした構成としたものである。そして本発明によれば、熱交換器の伝熱面積の減少分を補足する熱交換能力を確保して、小型化、特に熱交換器部の薄型化や軽量化を図り、本体の持ち運びを容易とすることができる除湿装置が得られる。
【手続補正４】
【補正対象書類名】明細書
【補正対象項目名】００５２
【補正方法】変更
【補正の内容】
【００５２】
以上のように本実施例においては、熱交換器１０８を、循環空気を取り入れる取入れ口１１７と、循環空気が取り出される取出し口１１８と、凝縮した結露水を排出する水抜き穴１１２と、前記取入れ口より取り入れた循環空気が略下向きに流れる第１熱交換領域２と、前記取出し口より取り出される循環空気が略上向きに流れる第２熱交換領域３とを備えた単一の中空状樹脂成形部品１１９からなる一層式熱交換器１２として構成し、従来のニ層式熱交換器１２０に対して伝熱面積の減少分を循環空気の通過速度の増加による熱通過率の上昇分で補足することにより熱交換能力を確保して、固定金具１２１やパッキンを必要としない安価な構成を実現するとともに、小型化、特に熱交換器部の薄型化や軽量化を図り、本体の持ち運びを容易とすることが出来るのである。


【手続補正５】
【補正対象書類名】明細書
【補正対象項目名】００９４
【補正方法】変更
【補正の内容】
【００９４】
また、熱交換器を、循環空気を取り入れる取入れ口と、循環空気が取り出される取出し口と、凝縮した結露水を排出する水抜き穴と、前記取入れ口より取り入れた循環空気が略下向きに流れる第１熱交換領域と、前記取出し口より取り出される循環空気が略上向きに流れる第２熱交換領域とを備えた単一の中空状樹脂成形部品からなる一層式熱交換器とした構成とすることにより、従来の二層式熱交換器に対して伝熱面積の減少分を循環空気の
通過速度の増加による熱通過率の上昇分で補足して熱交換能力を確保し、固定金具やパッキンを必要としない安価な構成を可能とするとともに、小型化、特に熱交換器部の薄型化や軽量化を図り、本体の持ち運びを容易とするという効果のある除湿装置を提供できる。


【手続補正６】
【補正対象書類名】明細書
【補正対象項目名】０１０２
【補正方法】変更
【補正の内容】
【０１０２】
また、除湿運転を停止する場合に、加熱手段と第１の送風ファンと第２の送風ファンと駆動手段を略同時に停止させる制御手段を設けた構成とすることにより、除湿運転を停止する場合に第２の送風ファン近傍での結露水の溜まり込みによる水漏れ等の不具合を防止するために行われる遅延運転を、第２の送風ファンに発生した結露水を排水する排水手段を設けることにより撤廃するので、その分のエネルギーが節約することができるとともに、ＣＰＵやメモリー等の制御装置を搭載しない安価な構成とするという効果のある除湿装置を提供できる。
また、熱交換器は循環空気の流れの向きをターンさせる構成とすることにより、熱交換器の伝熱面積の減少分を補足する熱交換能力を確保して、小型化、特に熱交換器部の薄型化や軽量化を図り、本体の持ち運びを容易とすることができる除湿装置を提供できる。
また、熱交換器を一層とした構成とすることにより、熱交換器の伝熱面積の減少分を補足する熱交換能力を確保して、小型化、特に熱交換器部の薄型化や軽量化を図り、本体の持ち運びを容易とすることができる除湿装置を提供できる。